(57)【要約】【課題】ドレン水を速やかに機外へ排出できる空調機の提供を目的とするものである。【解決手段】空調機は、空調機本体１内に、熱媒体を流通させる蒸発器２と、蒸発器２に通風する送風機３とを収容し、空調機本体１の下部に蒸発器２から流下するドレン水を受けるドレンパン４を配置し、蒸発器２より通風方向上流位置のドレンパン４にドレン水排出手段１０を備えた空調機において、ドレンパン４に通風方向下流側へ向かって下向きに傾斜して形成された傾斜面部７と、傾斜面部７の通風方向下流側に溜まったドレン水をドレン水排出手段１０に導く導水溝部８ａとを備えた構成にしてある。また、導水溝部８ａが通風方向下流側から通風方向上流側に向かって下向きに傾斜して設けられている。そして、一対の導水溝部８ａが傾斜面部７の両側に設けられていることを特徴とするものである。【選択図】図１
2008134027.tif 000002
【特許請求の範囲】
【請求項１】
空調機本体内に、熱媒体を流通させる蒸発器と、前記蒸発器に通風する送風機とを収容し、前記空調機本体の下部に前記蒸発器から流下するドレン水を受けるドレンパンを配置し、前記蒸発器より通風方向上流位置の前記ドレンパンにドレン水排出手段を備えた空調機において、前記ドレンパンに通風方向下流側へ向かって下向きに傾斜して形成された傾斜面部と、前記傾斜面部の通風方向下流側に溜まったドレン水を前記ドレン水排出手段に導く導水溝部とを備えたことを特徴とする空調機。
【請求項２】
導水溝部が通風方向下流側から通風方向上流側に向かって下向きに傾斜して設けられていることを特徴とする請求項１に記載の空調機。
【請求項３】
一対の導水溝部が傾斜面部の両側に設けられていることを特徴とする請求項１または請求項２に記載の空調機。
【発明の詳細な説明】
【技術分野】
【０００１】
本発明は、ドレンパンを改良した空調機に関するものである。
【背景技術】
【０００２】
従来の天井埋込型空調機では、図４に示すように、空調機本体１０１は、内部に送風機１０３及び蒸発器１０２が収容され、前面に空気吸込口１０５が、背面には空気吹出口１０６がそれぞれ設けられ、被空調空間からの空気と熱交換して前記被空調空間に供給する通風路を形成している。ここで用いられる蒸発器１０２は所定の熱交換面積を確保するために、所定の角度で傾斜配置されている。そして、冷凍サイクル運転にともなって蒸発器１０２から流下するドレン水を受けるために、空調機本体１０１内の下部に、ドレンパン１０４が配備されている。
【０００３】
ドレンパン１０４には、送風機１０３と蒸発器１０２との間に、ドレンポンプ等のドレン水排出手段１１０が設けられている。ドレン水排出手段１１０は、通常、所定の設置空間を必要とするのでこの位置に設けられている。るものであり、このドレン水排出手段１１０がドレンパン１０４に収集されたドレン水を空調機本体１０１外へ排出する。
【０００４】
このドレンパン１０４の平面図を図５に、左側面図を図６に示す。ドレンパン１０４には、前後方向略中央部に蒸発器１０２を支持する支持部１１３が突設されている。この支持部１１３より通風方向下流側のドレンパン１０４は、通風方向上流側に設けられたドレン水排出手段１１０にドレン水を導くため、通風方向下流側が高く通風方向上流側が低くなるように漸次傾斜して形成された傾斜面部１０７を備えている。そして、支持部１１３の左端部には導水溝部１０８が設けられ、傾斜面部１０７に収集されたドレン水をドレン水排出手段１１０へ導いている。以上のような技術は、例えば下記特許文献１に開示されている。
【０００５】
【特許文献１】特開平１０−２２０９５５号公報
【発明の開示】
【発明が解決しようとする課題】
【０００６】
ところで、上述した従来のドレンパン１０４では、ドレン水が傾斜面部１０７を流れる方向と、通風路を流れる空気の通風方向とが全く逆となる。このため、この通風路を流れる空気によって、ドレン水排出手段１１０へ向かうドレン水の円滑な流れは妨げられ、ドレン水がドレンパン上に長時間にわたり滞留することとなる。このような状態は、雑菌などが繁殖しやすく不衛生であり、更に不快な臭気を被空調空間にまき散らし、快適性が損なわれるおそれがある。
【０００７】
本発明は、上記した従来の問題点に鑑みてなされたものであって、ドレン水を速やかに機外へ排出できる空調機の提供を目的とするものである。
【課題を解決するための手段】
【０００８】
上記目的を達成するために、本発明に係る空調機は、空調機本体内に、熱媒体を流通させる蒸発器と、蒸発器に通風する送風機とを収容し、空調機本体の下部に蒸発器から流下するドレン水を受けるドレンパンを配置し、蒸発器より通風方向上流位置のドレンパンにドレン水排出手段を備えた空調機において、ドレンパンに通風方向下流側へ向かって下向きに傾斜して形成された傾斜面部と、傾斜面部の通風方向下流側に溜まったドレン水をドレン水排出手段に導く導水溝部とを備えた構成にしてある。
【０００９】
また、前記構成において、導水溝部が通風方向下流側から通風方向上流側に向かって下向きに傾斜して設けられていることを特徴とするものである。
【００１０】
そして、前記した各構成において、一対の導水溝部が傾斜面部の両側に設けられていることを特徴とするものである。
【発明の効果】
【００１１】
本発明では、ドレンパンに通風方向下流側へ向かって下向きに傾斜して形成された傾斜面部と、傾斜面部の通風方向下流側に溜まったドレン水をドレン水排出手段に導く導水溝部を備えたので、傾斜面部が下向きに傾斜する方向と通風方向とが一致し、ドレン水は傾斜面部を非常に円滑に流れることができる。
【発明を実施するための最良の形態】
【００１２】
実施の形態１．
図１は本発明の一実施形態に係る空調機の全体構成を示す断面図、図２は前記空調機のドレンパンの平面図である。
各図において、この実施形態に係る空調機は、建物の天井内に設置される薄型の天井埋込型の空調機であって、中空箱状の空調機本体１内に、熱媒体を流通させる蒸発器２と、蒸発器２に通風する送風機３とが収容されている。また、空調機本体１の下部には蒸発器２から流下するドレン水を受けるドレンパン４が配設され、蒸発器２より通風方向上流位置のドレンパン４にドレン水排出手段１０を備えている。
【００１３】
送風機４は区画板９に固定され、この区画板９を境に、空調機本体１内の通風路が空気吸込側空間１５と空気吹出側空間１６とに区画される。そして、室内など被空調空間の空気２１を空調機本体１内に取り入れる吸込口５が空気吸込側空間１５に開口して形成され、蒸発器２を通過して空調処理された空気２２を吹き出す吹出口６が空気吹出側空間１６に開口して形成されている。
【００１４】
蒸発器２は吹出口６に向かって上向きに傾斜して配置されており、冷凍サイクル運転にともなって蒸発器２の表面で生じたドレン水はドレンパン４上に流下する。ドレンパン４は、ドレン水の全てを受けられるように、空気吹出側空間１６底面のほとんど全部を占める広さに形成される。ドレンパン４はその底板の周縁に立設された前側壁部１７と、後側壁部１８と、右側壁部１９と、左側壁部２０とに囲まれて受皿状に形成されている。更に、ドレンパン４の前後方向略中央部には、蒸発器２の下部を支持する支持部１３が突設され、この支持部１３よりも通風方向下流側のドレンパン４に、通風方向下流側へ向かって下向きに傾斜した傾斜面部７が設けられている。
【００１５】
更に、傾斜面部７の通風方向下流側には後溝部２１が、傾斜面部７の左右両側には一対の導水溝部８ａ，８ｂがそれぞれ設けられている。導水溝部８ａ，８ｂは通風方向上流側へ向かって下向きに傾斜して形成されて後溝部２１に溜まったドレン水をドレン水排出手段１０に導くようになっている。また、前側壁部１７から支持部１３までの間にはドレンパン４の中で最も低位置の集水部１４が設けられている。
【００１６】
ドレン水排出手段１０は、左側壁部２０に設けられた自然排水口２２により構成され、ドレンパン４に集溜したドレン水を空調機本体１外に排出するようになっている。尚、ドレン水排出手段１０は自然排水口２２に替えて集水部１４に取付られたドレンポンプであってもよく、ドレンパン４に集溜したドレン水をドレンホースを介して空調機本体１外に排出するようにしたものであってもよい。
【００１７】
引続き、この実施形態の空調機の動作につき、以下に説明する。空調機が運転を開始し送風機３が駆動すると、被空調空間の空気３１が吸込口５から空気吸込側空間１５へ吸込まれ、送風機３を経て空気吹出側空間１６へ入り、蒸発器２において冷却されて、その後、吹出口６から被空調空間へ吹出される。このようにして、被空調空間を冷房する。
【００１８】
冷凍サイクル運転にともなって蒸発器２ではドレン水が生成され、水滴となってドレンパン４に流下する。流下した全てのドレン水はドレンパン４によって受けられ傾斜面部７により、通風路を移動する空気の流れに押されて、速やかに通風方向下流側の後溝部２１まで流される。後溝部２１まで流れてきたドレン水は後溝部２１に序々に溜まっていくとともに、後溝部２１の左右両端部より導水溝部８へと流れていく、導水溝部８は通風路の両側に形成されているので、ほとんど無風の状態であり、且つ、導水溝部８ａ，８ｂは通風方向下流側から通風方向上流側に向かって下向きに傾斜して形成されているので、ドレン水は導水溝部８ａ，８ｂの傾斜を速やかに流れることができる。
【００１９】
左側の導水溝部８ａに流れ込んだドレン水は、ドレン水排出手段１０へとそのまま流れ込む。これに対し、右側の導水溝部８ｂに流れ込んだドレン水は、集水部１４を経てドレン水排出手段１０へ流れ込む。
【００２０】
以上より、本実施形態に係る空調機は、ドレンパン４に通風方向下流側へ向かって下向きに傾斜して形成された傾斜面部７と、傾斜面部７の通風方向下流側に溜まったドレン水をドレン水排出手段１０に導く導水溝部８ａ，８ｂとを備えたので、傾斜面部７の下向きの傾斜と通風方向とが一致するから、ドレン水を傾斜面部７上で円滑に流すことができる。更に傾斜面部７の通風方向下流側に溜まったドレン水を、導入溝部８ａ，８ｂを経てドレン水排水手段１０から排出させることができる。従って、ドレン水を長時間に亘り空調機本体１内に溜めることがないので、雑菌の繁殖を防止でき、ドレンパン４を衛生的に保つことが可能となる。更に、不快な臭気の発生もなく、快適性を維持することが可能となる。
【００２１】
また、導水溝部８ａ，８ｂは、通風方向上流側に向かって下向きに傾斜して設けられているので、導水溝部８ａ，８ｂが水平の場合と比較して、後溝部２１に溜まったドレン水をドレン水排出手段１０まで短時間のうちに流すことができる
【００２２】
更に、導水溝部８ａ，８ｂは傾斜面部７の左右両側に設けられているので、空調機を設置する際に、空調機本体１が万が一水平に載置されず、多少左右に傾いた状態で設置された場合であっても、左右いずれかの導水溝部８ａ，８ｂから、必ずドレン水をドレン水排出手段１０へと導くことができる。従って、導水溝部８ａ，８ｂが左右いずれか一箇所しか設けられていない場合や、傾斜面部７の左右両側以外の位置、例えば長手方向中央部等に設けられた場合のように、ドレンパンの隅等にドレン水を長時間に亘り滞留させるといったことがない。また、傾斜面部７の左右両側は冷媒配管や電気コードなどの配設によりほとんど無風の状態なので、通風方向に逆らってドレン水を導いてもドレン水はドレン水排出手段１０に向かって流れていくこととなる。
【００２３】
尚、上記の実施形態では、傾斜面部７の左右両側に一対の導水溝部８ａ，８ｂを設けたが、本発明の空調機はそれに限定されるものでなく、例えば傾斜面部の長手方向中央部といったドレンパンの他の場所に、導水溝部を設けてもよく、導水溝部を一箇所のみで設けてもよく、或いは３箇所以上設けてもよい。また、導水溝部は平面視で通風方向と一致する方向に沿わせて設ける必要はなく、幾分通風方向から斜行して設けることも可能である。
【図面の簡単な説明】
【００２４】
【図１】本発明の一実施形態に係る空調機の側面構成図である。
【図２】前記空調機のドレンパンの平面図である。
【図３】前記ドレンパンの左側面図である。
【図４】従来の空調機の側面構成図である。
【図５】前記従来の空調機のドレンパンの平面図である。
【図６】前記従来のドレンパンの左側面図である。
【符号の説明】
【００２５】
１  空調機本体、２  蒸発器、３  送風機、４  ドレンパン、７  傾斜面部、８ａ，８ｂ導水溝部、１０  ドレン水排出手段。
【図１】
2008134027.tif 000003
【図２】
2008134027.tif 000004
【図３】
2008134027.tif 000005
【図４】
2008134027.tif 000006
【図５】
2008134027.tif 000007
【図６】
2008134027.tif 000008